(57)【要約】【課題】不使用時には扁平な形状を保つとともに、使用時には開口部が十分に広がるような自立性を有する折畳みカップ状容器を提供する。【解決手段】外側シートＯに、貼着部１，１と側壁部３，３と折畳み部２０とを設け、この側壁部３，３をその横方向の長さが縦方向外側に向かって長くなるような形状にするとともに、前記折畳み部２０に、横方向中央の底面部４とこの底面部４から横方向外側に突出する支持部６，６とを設け、不使用時には前記折畳み部２０を側壁部３，３の間に折り重ねることで扁平な形状とするとともに、使用時には、前記側壁部３，３を湾曲もしくは屈曲させることで底面および開口部を平面視で略円形にする。【選択図】図１
2008239209.tif 000002
【特許請求の範囲】
【請求項１】
不使用時には扁平な形状を保つ一方、使用時には開口部を有するカップ状となるように組み立てられる折畳みカップ状容器において、
略矩形の外側シートとこれに貼合される柔軟な内側シートとによって形成される基材シートからなり、
前記外側シートは、
横方向両縁に設けられて、縦方向に延びる一対の貼着折線により横方向外側に区画された貼着部と、
前記貼着部で挟まれた部分のうち、当該貼着部にわたって横方向に互いに平行に延びた一対の谷折り折線により縦方向中央に区画された折畳み部と、
前記貼着部で挟まれた部分のうち、前記一対の谷折り折線により前記折畳み部の縦方向外側に区画された一対の側壁部と、
前記折畳み部と前記貼着部とにわたって横方向に延びる山折り折線とを有し、
前記折畳み部は、横方向中央に設けられて前記一対の側壁部にそれぞれ連設された底面部と、当該底面部を挟んでそれぞれ横方向外側に突出する一対の支持部と、前記外側シートのうち前記支持部の外周線より横方向外側部分が切欠されることで形成された一対の切欠部とを備え、
前記側壁部は、その横方向の長さが縦方向中央側から縦方向外側に向かうほど長くなるような形状を有しており、
前記基材シートを、前記側壁部が互いに対面するように前記谷折り折線に沿って前記内側シートが上方となるように谷折りにするとともに前記山折り折線に沿って前記内側シートが上方となるように山折りにし、この折り曲げにより対面する前記貼着部を貼合することにより、
不使用時には前記折畳み部が前記対面する側壁部の間に折り重ねられて扁平な形状を保つ一方、
使用時には、前記折畳み部が展開されるに伴って前記支持部が前記底面部に対して開口部側に立ち上がり、当該折畳み部のうち前記底面部と前記支持部とを含む部分により底面が構成されるとともに、前記両側壁部が湾曲もしくは屈曲することで、前記底面と前記基材シートの縦方向両縁により形成される開口部とがそれぞれ平面視で略円形となるように組み立てられることを特徴とする折畳みカップ状容器。
【請求項２】
請求項１に記載の折畳みカップ状容器において、
前記支持部は、前記底面部のそれぞれ横方向外側において、前記底面部の横方向両縁と前記谷折り折線との交点と、前記貼着折線と前記山折り折線との交点とを結ぶ境界線よりも中央寄りに設けられていることを特徴とする折畳みカップ状容器。
【請求項３】
請求項１または２に記載の折畳みカップ状容器において、
前記支持部の形状が略半円形もしくは略欠円形で、
使用時には、前記側壁部が前記支持部の外周部分にほぼ沿って湾曲もしくは屈曲されるように組み立てられることを特徴とする折畳みカップ状容器。
【請求項４】
請求項１〜３のいずれかに記載の折畳みカップ状容器において、
前記外側シートが、前記折畳み部の四隅に、前記谷折り折線の一部と前記貼着折線の一部とをそれぞれ二辺とする略三角形状を有する第一補助部を有し、
前記切欠部において、当該第一補助部が切欠されずに残されていることを特徴とする折畳みカップ状容器。
【請求項５】
請求項１〜４のいずれかに記載の折畳みカップ状容器において、
前記外側シートが、前記支持部と前記側壁部との間に、当該側壁部に連設されるとともに、前記支持部あるいは前記底面部の少なくとも一方に連設される第二補助部を有し、
前記切欠部において、当該第二補助部が切欠されずに残されていることを特徴とする折畳みカップ状容器。
【発明の詳細な説明】
【技術分野】
【０００１】
本発明は、不使用時には扁平に折り畳んで容易に携帯可能であるとともに、使用時には内容物を注入しないでもそれ自体で自立性を有する折畳みカップ状容器に関するものである。
【背景技術】
【０００２】
折畳みカップ状容器としては、外側シートと可撓性を有する内側シートとを貼合してその一部を切り欠きして形成したものが知られている。
【０００３】
この折畳みカップ状容器として、特許文献１には、図８〜図１１に示すような容器Ｂが開示されている。この容器Ｂは図１１に示すような外側シートＯと内側シートＩとからなるシートＳにより形成されている。そして、この外側シートＯには、図８に示すように、折線ＢａおよびＢｃ〜Ｂｅが設けられており、これらによって各領域が区画されている。
【０００４】
具体的には、縦方向両縁に貼着部Ｂ１が区画され、これら貼着部Ｂ１に挟まれた領域に側壁部Ｂ３と折畳み部Ｂ２０とが区画されている。そして、この折畳み部Ｂ２０には、その四隅に補強部Ｂ１０が設けられるとともに、中央付近に底面部Ｂ４と支持部Ｂ６とが区画されている。また、この支持部Ｂ６の外周Ｂｇと補強部Ｂ１０とに挟まれた部分には、外側シートＯが切欠されて内側シートＩが露出した切欠部Ｂ７が形成されている。
【０００５】
そして、この容器Ｂでは、横方向に平行に設けられた谷折り折線Ｂｃと山折り折線Ｂｄとが前記貼着部Ｂ１をそれぞれ互いに対面させるように折り曲げられるとともに、この対面した貼着部Ｂ１が貼合されており、これによって、不使用時には前記折畳み部Ｂ２０が側壁部Ｂ３の間に折り重ねられて扁平な形状を保つ一方、使用時には前記折畳み部Ｂ２０が展開されることで、図９および図１０に示すように、一方に開口部を有する自立性のあるカップ状容器が形成されるよう構成されている。
【特許文献１】実公平７−１２２４４号公報
【発明の開示】
【発明が解決しようとする課題】
【０００６】
前記のような従来のカップ状容器Ｂは、図９等に示すように、組み立て時に前記支持部Ｂ６が上方に立ち上がり矩形の底面部Ｂ４のみが容器の底面となる略直方体の容器である。従って、円形の食品を入れて使用する場合には食品に対して容器が過剰に大きくなり持ち運びが不便であるとともに、例えば円形の即席麺を容器に挿入し湯をかけて調理する場合には過剰な湯が必要となって非効率であった。また飲食し難くいという課題もあり、以前より自立性を有し飲食し易いどんぶり形状の携帯用容器が求められていた。
【０００７】
本発明は前記の点に鑑みてなされたものであり、使用時に自立性を有するどんぶり形状の折畳みカップ状容器を提供することを目的とする。
【課題を解決するための手段】
【０００８】
前記課題を解決するために本発明は、不使用時には扁平な形状を保つ一方、使用時には開口部を有するカップ状となるように組み立てられる折畳みカップ状容器において、略矩形の外側シートとこれに貼合される柔軟な内側シートとによって形成される基材シートからなり、前記外側シートは、横方向両縁に設けられて、縦方向に延びる一対の貼着折線により横方向外側に区画された貼着部と、前記貼着部で挟まれた部分のうち、当該貼着部にわたって横方向に互いに平行に延びた一対の谷折り折線により縦方向中央に区画された折畳み部と、前記貼着部で挟まれた部分のうち、前記一対の谷折り折線により前記折畳み部の縦方向外側に区画された一対の側壁部と、前記折畳み部と前記貼着部とにわたって横方向に延びる山折り折線とを有し、前記折畳み部は、横方向中央に設けられて前記一対の側壁部にそれぞれ連設された底面部と、当該底面部を挟んでそれぞれ横方向外側に突出する一対の支持部と、前記外側シートのうち前記支持部の外周線より横方向外側部分が切欠されることで形成された一対の切欠部とを備え、前記側壁部は、その横方向の長さが縦方向中央側から縦方向外側に向かうほど長くなるような形状を有しており、前記基材シートを、前記側壁部が互いに対面するように前記谷折り折線に沿って前記内側シートが上方となるように谷折りにするとともに前記山折り折線に沿って前記内側シートが上方となるように山折りにし、この折り曲げにより対面する前記貼着部を貼合することにより、不使用時には前記折畳み部が前記対面する側壁部の間に折り重ねられて扁平な形状を保つ一方、使用時には、前記折畳み部が展開されるに伴って前記支持部が前記底面部に対して開口部側に立ち上がり、当該折畳み部のうち前記底面部と前記支持部とを含む部分により底面が構成されるとともに、前記両側壁部が湾曲もしくは屈曲することで、前記底面と前記基材シートの縦方向両縁により形成される開口部とがそれぞれ平面視で略円形となるように組み立てられることを特徴とする折畳みカップ状容器を提供する（請求項１）。
【０００９】
このような構成によれば、不使用時には略扁平な形状を保つことで容易に携帯することができるとともに、使用時には、前記側壁部を湾曲もしくは屈曲することで底面および開口部が平面視で略円形となるどんぶり形状の容器に組み立てることができる。特に、前記支持部の外周線より外側には切欠部が設けられており、この支持部の外側部分が比較的柔軟な内側シートのみで構成されているので、この内側シートを撓ませることで前記側壁部を比較的容易に湾曲もしくは屈曲させることができる。
【００１０】
また、前記折畳み部には、前記側壁部に連設された底面部とこの底面部に連設された支持部とが設けられているので、使用時の容器の保形性を向上させることが可能となる。すなわち、本容器では、前記支持部が前記底面部に対して開口部側に立ち上がるようにして前記側壁部間に展開されるよう構成されており、使用時には、この底面部と支持部とにより両側壁部間に下方に突出する底面が形成されるため、この底面が両側壁部間に介在することによりこれら側壁部がその復元力により再び近接して扁平な形状に戻ろうとするのを抑制することができる。
【００１１】
また、本容器では、前記側壁部がその横方向の長さが開口部に向かうほど長くなるような形状を有しているので、使用時に容器の開口部をより確実に円形に保つことができる。すなわち、前記のように側壁部を単に湾曲もしくは屈曲させただけでは、当該側壁部のうち前記底面部と支持部とから離間した開口部側では両側壁部がその復元力により互いに近接するように組み立てられてしまう場合があるが、側壁部が前記のような形状を有していれば、側壁部が開口部側に向けて離間する方向に展開しようとするため、開口部側においても側壁部が互いに近接してしまうのを抑制することができる。その結果、容器の開口部の大きさを確保することが可能となる。
【００１２】
このように、本発明によれば、開口部の大きさを確保して収納物を容易に出し入れできるとともに、保形性の高い使い易い容器を形成することができる。
【００１３】
また本発明において、前記支持部が、前記底面部のそれぞれ横方向外側において、前記底面部の横方向両縁と前記谷折り折線との交点と、前記貼着折線と前記山折り折線との交点とを結ぶ境界線よりも中央寄りに設けられているのが好ましい（請求項２）。
【００１４】
このようにすれば、前記支持部の外側に設けられる切欠部の領域を十分に確保することができるので、組立時に支持部によって切欠部の内側シートの変形が拘束されるのを抑制して、前記側壁部をより確実に湾曲もしくは屈曲させることが可能となる。
【００１５】
また本発明において、前記支持部の形状が略半円形もしくは略欠円形で、使用時には、前記側壁部が前記支持部の外周部分にほぼ沿って湾曲もしくは屈曲されるように組み立てられるのが好ましい（請求項３）。
【００１６】
このような構成によれば、底面部と支持部とにより略円形の底面を形成することができるので、側壁部がこれら底面部および支持部に沿って湾曲もしくは屈曲されることで、容器を容易に略円形に組み立てることができる。
【００１７】
また本発明において、前記外側シートが、前記折畳み部の四隅に、前記谷折り折線の一部と前記貼着折線の一部とをそれぞれ二辺とする略三角形状を有する第一補助部を有し、前記切欠部において、当該第一補助部が切欠されずに残されるよう構成してもよい（請求項４）。
【００１８】
このような構成によれば、前記第一補助部により、使用時に比較的大きな角度で折れ曲がる前記貼着部と前記側壁部との境界部分を保護することができるので、この境界部分において内側シートが破損等してしまうのを抑制することができる。また、この第一補助部により、使用時に容器が載置される台等と接触する前記谷折り折線部分が保護されるので、前記台等との接触による内側シートの損傷等を抑制することができ、容器の耐久性を向上させることが可能となる。
【００１９】
また本発明において、前記外側シートが、前記支持部と前記側壁部との間に、当該側壁部に連設されるとともに、前記支持部あるいは前記底面部の少なくとも一方に連設される第二補助部を有し、前記切欠部において、当該第二補助部が切欠されずに残されるよう構成してもよい（請求項５）。
【００２０】
このような構成によれば、前記第二補助部により、使用時に比較的大きな角度で折り曲げられる前記側壁部と前記切欠部との境界部分を保護することができるとともに、この境界部分の厚みを確保することでこの部分が大きく折れ曲がってしまうのを抑制することができる。すなわち、この構成によれば、容器の耐久性を向上させるとともに、容器をより円形に近づけることができる。
【発明の効果】
【００２１】
以上のように、本発明によれば、比較的簡単な構成で自立性を有し利便性の高いどんぶり形状の折畳みカップ状容器を提供することができる。
【発明を実施するための最良の形態】
【００２２】
以下、本発明の好ましい実施形態について図面を参照して説明する。
【００２３】
図１は本実施形態に係る折畳みカップ状容器の展開図、図２は前記折畳みカップ状容器の分解斜視図、図３は前記折畳みカップ状容器の組み立て時の上面からの斜視図、図４は前記折畳みカップ状容器の折畳んだ状態での側面図、図５は図３の下面からの斜視図である。
【００２４】
図１に示すように、本容器は、比較的剛性の高い略矩形の外側シートＯと比較的柔軟性のある内側シートＩとを貼合させた基材シートＳから形成されている。外側シートＯには、例えば、比較的剛性の高い紙やプラスチック等を用いればよく、内側シートＩにはプラスチックフィルムの単体またはポリエステル、ポリプロピレン、ポリアミド等のプラスチックフィルムにアルミ箔を蒸着したもの等を用いればよい。
【００２５】
本折畳みカップ状容器５０では、図１に示すように、外側シートＯに、複数の折線と切り取り線とが設けられている。具体的には、貼着折線ａ，ａと、切り取り線ｂ，ｂと、谷折り折線ｃ，ｃと、山折り折線ｄと、底面折線ｅ，ｅとが設けられている。そして、これらの折線によって、前記シートＳは、貼着部１，１と、切り取り部２，２と、折畳み部２０と、側壁部３，３とに区画されている。
【００２６】
ここで、本発明における折線とは、その線に沿って折り曲げ易いようにシートに何らかの処理を加えたもの（例えば折り癖やミシン目を設ける等）と、その線に沿って折り曲げることを表示した線のいずれをも含む。
【００２７】
前記貼着折線ａ，ａとは、外側シートＯの横方向両縁付近に、縦方向に延びる折線であり、これら貼着折線ａ，ａによって後述する貼着部１，１がシートＳの横方向両端に区画されている。
【００２８】
前記切り取り線ｂ，ｂとは、縦方向両縁に沿って横方向に延びる切り取り線であり、これら切り取り線ｂ，ｂによって後述する切り取り部２，２がシートＳの縦方向両端に区画されている。この切り取り線ｂ，ｂとは、この線に沿ってシートＳを切除しやすいように、ミシン目等が設けられたものである。
【００２９】
前記谷折り折線ｃ，ｃとは、縦方向中央付近に横方向に延びる折線であり、これら谷折り折線ｃ，ｃによって前記貼着部１，１で挟まれた部分の縦方向中央に、後述する折り畳み部２０が区画されるとともに、この折畳み部２０の縦方向外側に一対の側壁部３，３が区画されている。また、この谷折り折線ｃ，ｃは、前記シートＳにより本折畳みカップ状容器５０を形成した際に、それぞれ前記内側シートＩが上方となるように谷折りに折り曲げられる。
【００３０】
前記山折り折線ｄとは、外側シートＯの縦方向中央、すなわち、前記谷折り折線ｃ，ｃのほぼ中央に設けられ、横方向に延びる折線である。この山折り折線ｄは、本折畳みカップ状容器５０の不使用時には、前記内側シートＩが上方となるように山折りに折り曲げられて、これによって前記折畳み部２０が後述する側壁部３の間に収容されるようになっている。
【００３１】
前記底面折線ｅ，ｅとは、横方向中央付近に設けられ、互いに平行に並ぶ前記谷折り折線ｃ，ｃを連結するように縦方向に延びる折線である。外側シートＯの中央付近は、この底面折線ｅ，ｅによって後述する底面部４と一対の支持部６とに区画されている。
【００３２】
前記貼着部１，１とは、前記シートＳを袋状に形成するために接着材やヒートシール等によって貼着される部分である。この貼着部１，１では、図２に示すように前記シートＳが折り曲げられた際に、互いに対向する部分が貼着される。
【００３３】
前記切り取り部２，２とは、不使用時に、本折畳みカップ状容器５０を密閉して、この折畳みカップ状容器５０の開口部分が不用意に開いてしまうのを抑制するためのものである。具体的には、不使用時には、前記貼着部１，１と同様に切り取り部２，２の互いに対向する部分が接着材やヒートシール等で貼着されることで、前記折畳みカップ状容器５０が密閉状態になる一方、使用時には、切り取り部２，２が前記切り取り線ｂ，ｂに沿って切り取られることで、折畳みカップ状容器５０に開口部が形成される。
【００３４】
前記側壁部３とは、図３に示すように、本折畳みカップ状容器５０の使用時に、後述する底面部４および支持部６，６に沿って湾曲もしくは屈曲し、この容器５０の外周壁を形成する部分である。この側壁部３は、その横方向の長さが前記折畳み部２０から縦方向外側に向かうほど長くなるような形状を有している。すなわち、前記横方向両縁付近に設けられた貼着折線ａ，ａのうちこの側壁部３を区画する部分が、縦方向外側に向かって互いに離間するように形成されている。ここで、図３では折畳みカップ状容器５０の内側面は内側シートＩで覆われることになるが、本図３では、煩雑さを回避すべく内側シートＩを示す斜線を外してある。
【００３５】
前記折畳み部２０とは、図２に示すように、本折畳みカップ状容器５０を形成する際には前記側壁部３，３の間に折畳まれ、折畳みカップ状容器５０を使用する際には展開されて容器の底面を形成する部分のことである。この折畳み部２０の中央付近には、前記底面折線ｅ，ｅによって横方向中央の底面部４と、この底面部４の外側に連結されて横方向外側に突出する一対の支持部６，６とが区画されている。また、この折畳み部２０には、切欠部７と、第一補助部１０と、第二補助部８とが設けられている。
【００３６】
前記底面部４とは、略矩形を有し、使用時に本折畳みカップ状容器５０の底面を構成する部分である。この底面部４は、前記側壁部３，３に連設されており、使用時に前記側壁部３，３間に展開される。
【００３７】
前記支持部６とは、前記底面部４とともに、使用時に本折畳みカップ状容器５０の底面を構成する部分である。この支持部６は、図３等に示すように、使用時に前記底面部４から開口部側に立ち上がるように組み立てられる。そして、前記底面部４とともに、側壁部３，３間に下方に突出する底面を形成することで、これら側壁部３，３がその復元力により再び扁平な形状に戻ろうとするのを抑制している。また、この支持部６はその外周ｇが円弧状を有しており、前記側壁部３，３がこの支持部６の外側で湾曲もしくは屈曲することで本折畳みカップ状容器５０が平面視でより円形に近い形となるように構成されている。さらに、この支持部６は、前記底面折線ｅ，ｅと前記谷折り折線ｃ，ｃとの交点ｍと、前記貼着折線ａ，ａと前記山折り折線ｄとの交点ｎとを結ぶ各境界線ｐよりもそれぞれ中央寄りになるよう設けられている。
【００３８】
前記第一補助部１０とは、前記折畳み部２０の四隅に設けられて、前記貼着部１，１と前記側壁部３，３との境界部分を保護するためのものである。この第一補助部１０は、前記側壁部３，３および前記貼着部１，１にそれぞれ連設されており、前記谷折れ折線ｃ，ｃの一部と前記貼着折線ａ，ａの一部とをそれぞれ二辺とする略三角形状を有している。
【００３９】
前記第二補助部８とは、前記支持部６，６と前記側壁部３，３との間に設けられて、前記側壁部３，３と後述する切欠部７との境界部分を保護するためのものである。この第二補助部８は、前記側壁部３，３および前記底面部４に連設されており、前記底面折線ｅ，ｅの一部と前記谷折り折線ｃ，ｃの一部とを二辺とする略三角形状を有している。
【００４０】
前記切欠部７とは、比較的柔軟な前記内側シートＩのみからなり、本折畳みカップ状容器５０の組み立て時に撓んで前記側壁部３，３を容易に湾曲もしくは屈曲させるためのものである。この切欠部７は、前記折畳み部２０の外側シートＯのうち、前記支持部６，６の外周線ｇより横方向外側部分であって前記第一補助部１０および前記第二補助部８を除く部分が切欠されることで形成されている。
【００４１】
以上のように構成されたシートＳは、図２に示すように、内側シートＩを内側として、前記谷折り折線ｃ，ｃが谷折りに折り曲げられ、前記山折り折線ｄが山折りに折り曲げられる。そして、前記側壁部３，３が互いに対面するように、前記折畳み部２０が側壁部３，３の間に折り重ねられ、その後、前記貼着部１，１および前記切り取り部２，２のそれぞれ対向する部分が接着材等によって貼着される。こうして、不使用時には、扁平な形状を有し嵩張らずに容易に携帯可能な本発明の折畳みカップ状容器５０が形成される。
【００４２】
次に、使用時における本折畳みカップ状容器５０の組み立て方法について説明する。
【００４３】
まず前記切り取り部２、２を前記切り取り線ｂ、ｂに沿って切除して、この切り取り線ｂ，ｂに沿った開口部を形成する。
【００４４】
次に、対面する前記側壁部３，３を引き離し、この側壁部３，３の間に折り重ねられていた前記折畳み部２０を展開する。この時、前記底面部４は側壁部３，３とほぼ垂直に展開され、前記支持部６，６は、前記切欠部７の内側シートＩを撓ませつつ前記底面部４から上方に向かって傾斜するようにして展開される。そして、この底面部４と支持部６，６とによって下方に突出する底面が形成される。
【００４５】
また、前記のように側壁部３，３を引き離すと、側壁部３，３は、前記内側シートＩを撓ませつつこの支持部の外周ｇの外側で湾曲し、本折畳みカップ状容器５０が平面視で略円形となるように組み立てられる。また、前記切欠部７の内側シートＩは、前記第二補助部８が図３に示すように側壁部３，３に沿って開口部側に折り曲げられることで、この第二補助部８とともに側壁部３，３に沿うように変形する。
【００４６】
ここで、この折畳み部２０が展開された状態では、前記のように側壁部３，３間に、前記底面部４と支持部６，６とによって形成された下方に突出する底面が介在することになるので、この底面すなわち前記底面部４および支持部６，６により側壁部３，３が支持され、両側壁部３，３が再び近接して扁平な形状に戻ろうとするのが抑制される。
【００４７】
また、前記側壁部３，３が前記のようにその横方向の長さが、縦方向外側、すなわち、前記開口部に向かうほど長くなるような形状を有しているので、この側壁部３，３により形成される折畳みカップ状容器５０の外周壁は、開口部に向けて広がる方向に展開しようとする。その結果、開口部付近において側壁部３，３が再び近接して扁平な形状に戻ろうとするのが抑制される。特に、これら側壁部３，３の横方向の長さのうち開口部側の長さを十分に長くしておけば、折畳みカップ状容器５０を開口部に向けて側壁部３，３が互いに離間していくような略台形錐体形状とすることができる。
【００４８】
また、側壁部３，３を前記のような形状とすれば、両側壁部３，３が底面に向かうほど互いに近接することになるので、単に一定の断面積を有する円筒状の容器に比べて、前記底面には強い挟持力が作用することになる。その結果、前記底面すなわち前記支持部６，６および前記底面部４の変形が抑制され、それに伴って側壁部３，３の変形がより確実に抑制されることになる。
【００４９】
さらに、この折畳み部２０が展開された状態では、図５に示すように、前記貼着部１，１と前記側壁部３，３との境界部分が比較的大きな角度で折れ曲がるが、この境界部分に前記第一補助部１０が設けられており、この第一補助部１０によりこの境界部分の内側シートＩが破損等しないように保護されている。
【００５０】
同様に、前記側壁部３，３と前記切欠部７，７との境界部分も比較的大きな角度で折れ曲がろうとするが、この境界部分には前記第二補助部８が設けられており、内側シートＩのみの場合に比べて厚みが確保されるため、この折れ曲がり角度が比較的小さくなる。また、この第二補助部８により、この境界部分が保護されることになる。
【００５１】
以上のように、本折畳みカップ状容器５０によれば、側壁部３，３を湾曲させるとともに、前記側壁部３，３を、その横方向の長さが前記開口部に向かうほど長くなるような形状とすることで、使用時の容器の形状をより確実に平面視で略円形となるどんぶり形状とすることができる。すなわち、容器を円形の食品等の調理に適し飲食し易い形状に容易に組み立てることが可能となる。
【００５２】
特に、前記支持部６，６が、前記底面折線ｅ，ｅと前記谷折り折線ｃ，ｃとの交点ｍと、前記貼着折線ａ，ａと前記山折り折線ｄとの交点ｎとを結ぶ境界線ｐよりも中央寄りに設けられるとともに、この支持部６，６の外周線ｇより外側部分の外側シートＯが切欠されていれば、この支持部６，６の外側部分が比較的柔軟な内側シートＩのみで構成されることになるので、この内側シートＩを撓ませることで前記側壁部３，３を比較的容易に湾曲もしくは屈曲させることができる。
【００５３】
また、前記のように、前記折畳み部２０の四隅に第一補助部１０を設けておけば、使用時に比較的大きな角度で折れ曲がる前記貼着部１，１と前記側壁部３，３との境界部分を保護することができるので、この部分の内側シートＩの損傷を抑制することができ、本折畳みカップ状容器５０の耐久性を向上させることが可能となる。
【００５４】
さらに、前記のように、前記支持部６，６と前記側壁部３，３との間に、第二補助部８を設けておけば、使用時に前記側壁部３，３と前記切欠部７，７との境界部分が大きく折れ曲がってしまうのを抑制することができるとともに、この境界部分を保護することができるので、本折畳みカップ状容器５０の形状をより円形に近づけることができるとともにこの容器５０の耐久性を向上させることが可能となる。また、この第二補助部８が開口部側に折り曲げられることで、この第二補助部８に連なる前記切欠部７の内側シートＩを側壁部３，３に沿って開口部側に容易に押し上げることが可能となる。
【００５５】
ここで、前記実施形態では、貼着折線ａ，ａのうち、前記折畳み部２０と前記貼着部１とを区画する部分を縦方向に真っ直ぐに伸びる形状とした場合について示したが、例えば図６に示すように、この部分を屈曲させてもよい。
【００５６】
また、前記シートＳおよび前記貼着折線ａ，ａを図７のように構成してもよい。すなわち、シートＳの横方向両縁ｑのうち前記谷折り折線ｃ，ｃより縦方向外側の部分を、前記貼着折線ａ，ａと平行に設け、シートＳの横方向両縁ｑのうち前記谷折り折線ｃ，ｃより縦方向内側の部分を、この横方向両縁ｑの最外端を結ぶ線ｒよりも内側になるようにしてもよい。そして、このようにすれば、シートＳを折畳んだ際に、貼着部１，１のうちの前記側壁部３，３に連設される部分１ａ，１ａによって挟みこまれる部分の大きさをより小さくすることができる。換言すれば、前記貼着部１，１のうち前記側壁部３，３に連設される部分１ａ、１ａ同士が直接接触する部分の大きさをより大きくすることができるので、この貼着部１，１同士の貼着力を確保することができ、貼着部１，１の剥離をより確実に抑制することが可能となる。
【００５７】
また、前記底面部４は矩形に限らず、横方向外側に膨出するような形状であってもよい。
【００５８】
同様に、前記支持部６，６は、略半円形にしてもよく、欠円形や矩形、多角形状であってもよい。特に、図６に示すように、前記支持部６，６の形状を略半円形とすれば、側壁部３，３がこの支持部６，６の外周線ｇに沿って湾曲されることで、折畳みカップ状容器５０を比較的容易に平面視で円形となるよう組み立てることができる。
【００５９】
また、前記実施形態では、前記第二補助部８を、前記底面折線ｅ，ｅの一部を一辺とする三角形状とするとともに、前記底面部４に連設した場合について示したが、前記支持部６，６の外周線ｇと前記底面折線ｅ，ｅとをそれぞれ一辺とする略台形状とし、この支持部６，６と底面部４とに連設ようにしてもよい。
【００６０】
また、前記実施形態では、前記底面部４の横方向両縁に底面折線ｅ，ｅを設けた場合について示したが、この底面折線ｅ，ｅは設けなくてもよい。
【００６１】
また、前記実施形態では、シートＳの縦方向両縁に切り取り線ｂ，ｂを設け、この切り取り線ｂ，ｂによって使用時に切除する切り取り部２，２を設けた場合について示したが、この切り取り線ｂ，ｂおよび切り取り部２，２を切除することなく、引き離すことで折畳みカップ状容器５０に開口部を設けるようにしてもよい。また、これら切り取り線ｂ，ｂおよび切り取り部２，２を設けなくてもよい。すなわち、シートＳの縦方向両縁ｆにより開口部を形成するようにしてもよい。
【図面の簡単な説明】
【００６２】
【図１】本発明に係る折畳みカップ状容器の展開図である。
【図２】図１に示す折畳みカップ状容器の分解斜視図である。
【図３】図１に示す折畳みカップ状容器の組み立て時の上面斜視図である。
【図４】図１に示す折畳みカップ状容器の折畳み時の側面図である。
【図５】図３の下面斜視図である。
【図６】本発明の他の実施形態に係る折畳みカップ状容器の展開図である。
【図７】本発明の他の実施形態に係る折畳みカップ状容器の展開図である。
【図８】従来の折畳み容器の展開図である。
【図９】図８に示す従来の折畳み容器の組み立て時の下面斜視図である。
【図１０】図９の上面斜視図である。
【図１１】図１に示す本発明に係る折畳みカップ状容器および図８に示す従来の折畳み容器に用いられるシートの断面図である。
【符号の説明】
【００６３】
１    貼着部
３    側壁部
４    底面部
６    支持部
７    切欠部
８    第二補助部
１０    第一補助部
２０    折畳み部
５０    折畳みカップ状容器
ａ    貼着折線
ｃ    谷折り折線
ｄ    山折り折線
ｅ    底面折線
Ｉ    内側シート
Ｏ    外側シート
Ｓ    シート
【図１】
2008239209.tif 000003
【図２】
2008239209.tif 000004
【図３】
2008239209.tif 000005
【図４】
2008239209.tif 000006
【図５】
2008239209.tif 000007
【図６】
2008239209.tif 000008
【図７】
2008239209.tif 000009
【図８】
2008239209.tif 000010
【図９】
2008239209.tif 000011
【図１０】
2008239209.tif 000012
【図１１】
2008239209.tif 000013